(57)【要約】【課題】空気調和機の遠隔操作装置において、故障発生時の故障コード確認を容易にし、故障コードの見落としを防止する。【解決手段】ステップ３０５およびステップ３１２で作業用室内機番号に該当する室内機番号の室内機が接続されていると判断された場合にのみ、ステップ３０６およびステップ３１３で作業用室内機番号が室内機番号に代入されて室内機番号が更新されるので、故障コード確認時に未接続室内機の室内機番号を選択することがなくなる。【選択図】図３
2009103390.tif 000002
【特許請求の範囲】
【請求項１】
プログラムされたマイコンによって１対の通信線に接続された複数台の空気調和機を遠隔操作する装置であって、接続された室内機の故障コードを表示する故障コード表示手段と、前記故障コード表示手段が表示対象としている室内機の識別番号を表示する室内機識別番号表示手段と、前記故障コード表示手段が表示対象としている室内機の識別番号を選択する室内機識別番号選択手段とを備え、接続された室内機の識別番号のみを前記室内機識別番号選択手段で選択できるようにしたことを特徴とする空気調和機の遠隔操作装置。
【請求項２】
接続された室内機が１台のみの場合は前記室内機識別番号表示手段に室内機の識別番号を表示せず前記室内機識別番号選択手段で室内機を選択できないようにしたことを特徴とする請求項１に記載の空気調和機の遠隔操作装置。
【発明の詳細な説明】
【技術分野】
【０００１】
本発明は、プログラムされたマイコンによって空気調和機を遠隔操作する装置に関するものである。
【背景技術】
【０００２】
従来、この種の空気調和機の遠隔操作装置は、室内機識別番号選択手段で接続可能な最大台数の室内機の中から表示対象の室内機を選択して故障コードを表示していた（例えば、特許文献１参照）。図５は特許文献１に記載された従来の空気調和機の遠隔操作装置のマイコンが実行するプログラムの故障コード表示フローチャートを示すものである。図５において、ステップ５０１で室内機番号ＵＰスイッチが押されたことを検出すれば、ステップ５０２で現在の室内機番号が最大接続可能台数（例えば１６）より小さい値であるかを判定し、小さい値であればステップ５０３で室内機番号を１ＵＰし、同じ値であれば室内機番号を変更しない。その後、ステップ５０４で室内機番号と、当該室内機番号の室内機の故障コードを表示する。また、ステップ５０５で室内機番号ＤＯＷＮスイッチが押されたことを検出すれば、ステップ５０６で現在の室内機番号が最小室内機番号（例えば１）より大きい値であるかを判定し、大きい値であればステップ５０７で室内機番号を１ＤＯＷＮし、同じ値であれば室内機番号を変更しない。その後、ステップ５０４で室内機番号と、当該室内機番号の室内機の故障コードを表示する。
【特許文献１】特開平５−３０４６９４号公報
【発明の開示】
【発明が解決しようとする課題】
【０００３】
しかしながら、前記従来の構成では、故障発生時には、接続されている室内機の台数に関わらず、室内機番号ＵＰスイッチおよび室内機番号ＤＯＷＮスイッチを用いて、接続可能な最大台数（例えば１６台）の室内機の中から故障発生中の室内機を選択して故障コードを表示させて確認する必要があり、また、大半の使用状況において接続台数が１台から数台以下であることから、未接続室内機の室内機番号を誤って選択し、故障コードを見落としてしまうという課題を有していた。
【０００４】
本発明は、前記従来の課題を解決するもので、故障発生時の故障コード確認を容易にし、故障コードを見落としにくい空気調和機の遠隔操作装置を提供することを目的とする。
【課題を解決するための手段】
【０００５】
前記従来の課題を解決するために、本発明の空気調和機の遠隔操作装置は、プログラムされたマイコンにより接続された室内機の識別番号のみを室内機識別番号選択手段で選択できるようにしたものである。
【０００６】
これによって、故障コード確認時に未接続室内機の室内機識別番号を選択することがなくなり、故障コードの見落としを防止するものである。
【発明の効果】
【０００７】
本発明の空気調和機の遠隔操作装置は、故障発生時の故障コード確認が容易になり、故障コードの見落としを防止することができる。
【発明を実施するための最良の形態】
【０００８】
第１の発明は、プログラムされたマイコンによって１対の通信線に接続された複数台の空気調和機を遠隔操作する装置であって、接続された室内機の故障コードを表示する故障
コード表示手段と、故障コード表示手段が表示対象としている室内機の識別番号を表示する室内機識別番号表示手段と、故障コード表示手段が表示対象としている室内機の識別番号を選択する室内機識別番号選択手段とを備え、接続された室内機の識別番号のみを室内機識別番号選択手段で選択できるようにしたことにより、故障コード確認時に未接続室内機の室内機識別番号を選択することがなくなり、故障発生時の故障コード確認が容易になり、故障コードの見落としを防止することができる。
【０００９】
第２の発明は、特に、第１の発明に加えて、接続された室内機が１台のみの場合は室内機識別番号表示手段に室内機の識別番号を表示せず、室内機識別番号選択手段で室内機を選択できないようにしたことにより、接続室内機が１台の場合の故障コード確認時に室内機識別番号の選択が全く不要となり、故障コードの見落としを確実に防止することができる。
【００１０】
以下、本発明の実施の形態について、図面を参照しながら説明する。なお、本実施の形態によって本発明が限定されるものではない。
【００１１】
（実施の形態１）
図１は、本発明の実施の形態１と２における空気調和機の遠隔操作装置を含むシステム構成図、図２は、本発明の実施の形態１と２における空気調和機の遠隔操作装置のハードウェアブロック図、図３は、本発明の実施の形態１における空気調和機の遠隔操作装置のマイコンが実行するプログラムの故障コード表示フローチャートである。
【００１２】
図１において、１はワイヤードリモコン、２Ａ〜２Ｄは室内機、３はワイヤードリモコン１と複数台の室内機２Ａ〜２Ｄを接続する１対の通信線であり、ワイヤードリモコン１は、室内機２Ａ〜２Ｄと双方向に通信を行い、運転操作や故障コード表示を行うものである。
【００１３】
図２において、４はマイコン、５はマイコンが実行するプログラム、６は室内機２Ａ〜２Ｄに発生中の故障コードを表示する故障コード表示、７は故障コード表示６が表示対象としている室内機の室内機番号を示す室内機番号表示、８は故障コード表示６が表示対象としている室内機の室内機番号を増加させる室内機番号ＵＰスイッチ、９は故障コード表示６が表示対象としている室内機の室内機番号を減少させる室内機番号ＤＯＷＮスイッチ、１０は通信線３に接続され室内機２Ａ〜２Ｄと双方向に通信を行うための送受信回路であり、送受信回路１０からの入力により接続されている室内機２Ａ〜２Ｄの室内機番号を認識する。
【００１４】
以下、図３のフローチャートに従い図２に示すプログラム５の動作を説明する。
【００１５】
マイコン４は、ステップ３０１で室内機番号ＵＰスイッチが押されたことを検出すれば、ステップ３０２で現在の室内機番号を作業用室内機番号に代入する。次に、ステップ３０３で作業用室内機番号が最大接続可能台数（例えば１６）より小さい値であるかを判定し、小さい値であればステップ３０４で作業用室内機番号を１ＵＰし、ステップ３０５で作業用室内機番号に該当する室内機番号の室内機が接続されているかを判定する。そして、該当する室内機番号の室内機が接続されている場合は、ステップ３０６に進み、作業用室内機番号を室内機番号に代入することで室内機番号を更新し、ステップ３０７で新しい室内機番号と、当該室内機番号の室内機の故障コードを表示する。
【００１６】
ステップ３０３で作業用室内機番号が最大接続可能台数（例えば１６）と同じ値であれば現在の室内機番号を更新せず、ステップ３０７で現在の室内機番号と、当該室内機番号の室内機の故障コードを表示する。ステップ３０５で作業用室内機番号に該当する室内機
番号の室内機が接続されていない場合は、ステップ３０３に戻り、以降、ステップ３０３で作業用室内機番号が最大接続可能台数（例えば１６）と同じ値と判定されるか、ステップ３０５で作業用室内機番号に該当する室内機番号の室内機が接続されていると判定されるまで、ステップ３０３からステップ３０５までを繰り返す。一方、ステップ３０８で室内機番号ＤＯＷＮスイッチが押されたことを検出すれば、ステップ３０９で現在の室内機番号を作業用室内機番号に代入する。
【００１７】
次に、ステップ３１０で作業用室内機番号が最小室内機番号（例えば１）より大きい値であるかを判定し、大きい値であればステップ３１１で作業用室内機番号を１ＤＯＷＮし、ステップ３１２で作業用室内機番号に該当する室内機番号の室内機が接続されているかを判定する。そして、該当する室内機番号の室内機が接続されている場合は、ステップ３１３に進み、作業用室内機番号を室内機番号に代入することで室内機番号を更新し、ステップ３０７で新しい室内機番号と、当該室内機番号の室内機の故障コードを表示する。
【００１８】
ステップ３１０で作業用室内機番号が最小室内機番号（例えば１）と同じ値であれば現在の室内機番号を更新せず、ステップ３０７で現在の室内機番号と、当該室内機番号の室内機の故障コードを表示する。ステップ３１２で作業用室内機番号に該当する室内機番号の室内機が接続されていない場合は、ステップ３１０に戻り、以降、ステップ３１０で作業用室内機番号が最小室内機番号（例えば１）と同じ値と判定されるか、ステップ３１２で作業用室内機番号に該当する室内機番号の室内機が接続されていると判定されるまで、ステップ３１０からステップ３１２までを繰り返す。
【００１９】
以上のように、本実施の形態においては、ステップ３０５およびステップ３１２で作業用室内機番号に該当する室内機番号の室内機が接続されていると判断された場合にのみステップ３０６およびステップ３１３で作業用室内機番号が室内機番号に代入されて室内機番号が更新されるので、故障コード確認時に未接続室内機の室内機番号を選択することがなくなり、故障発生時の故障コード確認が容易になり、故障コードの見落としを防止することができる。
【００２０】
なお、本実施の形態において故障コード表示６が表示対象としている室内機の室内機番号を室内機番号ＵＰスイッチ８と室内機番号ＤＯＷＮスイッチ９の２つで選択するとしているが、１つの室内機番号選択スイッチで選択しても良い。また、室内機の最大接続可能台数と最小室内機番号は一例であり、本発明を限定するものではない。
【００２１】
（実施の形態２）
図４は、本発明の実施の形態２における空気調和機の遠隔操作装置のマイコンが実行するプログラムの故障コード表示フローチャートである。
【００２２】
以下、図４のフローチャートに従い図２に示すプログラム５の動作を説明する。なお、実施の形態１と同一のステップについては、同一の符号を付してその詳細な説明は省略する。
【００２３】
マイコン４は、ステップ４０１で室内機接続台数が２台以上かを判定し、室内機接続台数が２台以上の場合にのみステップ３０１以降のステップを実行する。室内機接続台数が１台のみの場合は、ステップ４０２に進んで室内機番号を表示せずに接続室内機の故障コードを表示する。
【００２４】
以上のように、本実施の形態においては、ステップ４０１で室内機接続台数が１台のみと判断された場合には、ステップ３０１以降のステップを実行しないので、接続室内機が１台の場合の故障コード確認時に室内機識別番号の選択が全く不要となり、故障コードの
見落としを確実に防止することができる。
【産業上の利用可能性】
【００２５】
以上のように、本発明にかかる空気調和機の遠隔操作装置は、故障発生時の故障コード確認が容易になり、故障コードの見落としを防止することが可能となるので、通信線を媒体としてデータ通信を行う空気調和機集中制御システムにおいて空気調和機の集中制御装置の故障コード表示等の用途にも適用できる。
【図面の簡単な説明】
【００２６】
【図１】本発明の実施の形態１と２における空気調和機の遠隔操作装置を含むシステム構成図
【図２】本発明の実施の形態１と２における空気調和機の遠隔操作装置のハードウェアブロック図
【図３】本発明の実施の形態１における空気調和機の遠隔操作装置のマイコンが実行するプログラムの故障コード表示フローチャート
【図４】本発明の実施の形態２における空気調和機の遠隔操作装置のマイコンが実行するプログラムの故障コード表示フローチャート
【図５】従来の空気調和機の遠隔操作装置のマイコンが実行するプログラムの故障コード表示フローチャート
【符号の説明】
【００２７】
１  ワイヤードリモコン
２Ａ〜２Ｄ  室内機
３  通信線
４  マイコン
５  プログラム
６  故障コード表示
７  室内機番号表示
８  室内機番号ＵＰスイッチ
９  室内機番号ＤＯＷＮスイッチ
１０  送受信回路
【図１】
2009103390.tif 000003
【図２】
2009103390.tif 000004
【図３】
2009103390.tif 000005
【図４】
2009103390.tif 000006
【図５】
2009103390.tif 000007